(57)【要約】【課題】  自動的にランダムに検査表を所定時間提示し、検査室の照明環境にも左右されることなく、また、周囲の被検者に検査結果を察知されることのない自動視機能検査装置を提供する【解決手段】  複数の色覚視標を視標の形の方向を認識することが可能な形状とし、判断処理部は、操作入力手段への入力が所定時間ない場合に視標選択手段を制御し次の視標を選択する。【選択図】  図１
2006055202.tif 000002
【特許請求の範囲】
【請求項１】
複数のランドルト環のような視角度分解能を視標の形の方向を認識することによって視力を検査する視力検査視標を有する視力検査視表と、複数の色覚視標と、前記視力検査視表及び前記複数の色覚視標を選択する視標選択手段と、前記視標選択手段によって選択された視標を被検眼に提示する投影光学系と、前記複数の色覚視標を常に一定の色温度で照明する色覚視標照明光源と、提示された前記視力検査視標の視認した方向を入力するための操作入力手段と、検査結果を通知する検査結果通知手段と、装置の制御及び判断を行う判断処理部と、を有する自動視機能検査装置において、前記複数の色覚視標は視標の形の方向を認識することが可能な形状であり、前記判断処理部は、前記操作入力手段への入力が所定時間ない場合に前記視標選択手段を制御し次の視標を選択することを特徴とする自動視機能検査装置。
【発明の詳細な説明】
【技術分野】
【０００１】
本発明は、被検者に色覚検査用視標を提示し、視認した視標を答えさせることにより、被検者に色覚異常があるか否かを自動的に判定する自動視機能検査装置に関するものである。
【背景技術】
【０００２】
網膜中心窩付近に多く存在する色を感じる３種類の錐体細胞のうち、1種類しか存在しない場合、明度差だけしか判らず一色型色覚（全盲）となる。２種類存在する場合は二色型色覚（色盲）、３種類存在しても混合率に異常がある場合、異常三色型色覚（色弱）となる。
【０００３】
色覚異常のスクリーニングとして、石原式色覚検査表などを用い、被検者に検査表を所定時間見せ、読み取れる数字を答えさせる簡便な方法がある。色覚に異常があると、正常な色覚では読み取れる数字を認識できないので、検者は複数の検査表を順次被検者に提示し、被検者の回答の正誤から色覚異常があるか否かを判定している。
【０００４】
また、被検眼に視標を投影する動画表示手段及び視標像光学系を有し、前記視標として色覚検査視標を記憶し、指示に応じ、該色覚検査視標を前記動画表示手段に表示させる視機能検査装置が開示されている（特許文献１参照）。
【特許文献１】特開平１１−２４４２３９号公報
【発明の開示】
【発明が解決しようとする課題】
【０００５】
以上のように、色覚異常のスクリーニングを行うには、被検者毎に検者が必要であり、次の被検者に検査表の正解を記憶されないようにランダムに検査表を提示することなどが必要となる。また、検査表は長時間被検者に提示すると読めなかったものも読めてしまうことがあり検査結果の精度が悪くなってしまうので、決められた時間検査表を被検者へ提示する必要がある。
【０００６】
また、検査表の照明の差により結果に影響がでてしまう場合があり、検査室の窓の位置や天候にも左右される場合がある。
【０００７】
さらに、学校などで色覚異常のスクリーニングが行われる場合、検査結果を周囲の児童に知られないようにする配慮が必要となる。
【０００８】
また、前述の特許文献で開示されている色覚検査視標を前記動画表示手段に表示させる視機能検査装置は、動画表示手段である液晶にいわゆる石原式色覚検査表を表示し、被検者に視認したものを答えさせ、色覚異常があるか否かを検査しているだけで、色覚検査視標の提示時間の管理や視認したものが正しいか否かを判断する手段も示されていないので、検者が不可欠となっている。さらに口頭で視認したものを答えさせているので、検査結果を周囲に知られてしまう恐れがある。
【０００９】
本発明の目的は、検者を必要とせず、自動的にランダムに検査表を所定時間提示し、検査室の照明環境にも左右されることなく、また、周囲の被検者に検査結果を察知されることのない自動視機能検査装置を提供することにある。
【課題を解決するための手段】
【００１０】
本発明の自動視機能検査装置は、複数のランドルト環のような視角度分解能を視標の形の方向を認識することによって視力を検査する視力検査視標を有する視力検査視表と、複数の色覚視標と、前記視力検査視表及び前記複数の色覚視標を選択する視標選択手段と、前記視標選択手段によって選択された視標を被検眼に提示する投影光学系と、前記複数の色覚視標を常に一定の色温度で照明する色覚視標照明光源と、提示された前記視力検査視標の視認した方向を入力するための操作入力手段と、検査結果を通知する検査結果通知手段と、装置の制御及び判断を行う判断処理部と、を有する自動視機能検査装置において、前記複数の色覚視標は視標の形の方向を認識することが可能な形状であり、前記判断処理部は、前記操作入力手段への入力が所定時間ない場合に前記視標選択手段を制御し次の視標を選択することを特徴とする。
【発明の効果】
【００１１】
以上述べたように本発明の自動視機能検査装置は、自動視機能検査装置内部に色覚視標照明光源7及び色覚視標照明光源9を設け、色覚視標19a〜19fを照明することによって、検査室内の照明環境や配置、天候などに影響されることなく、常に同じ色温度の照明光で色覚視標を照明することができ、検査精度のバラツキを軽減できる。
【００１２】
また、選択された色覚視標提示後、所定時間操作部15への被検者による入力がなかった場合には、自動的に次の色覚視標を被検眼Erに提示するようになっているので、長時間提示された同じ色覚視標を凝視していると見えてしまい色覚異常を発見できないということを防止できる。また、検査結果通知手段を有しているので、検査結果を周囲の他者に知られることなく、被検者もしくは検査者に通知できる。
【発明を実施するための最良の形態】
【００１３】
本発明の第１の実施例を図１〜図７に基づいて詳細に説明する。
【００１４】
図１の100は本発明の第１の実施例の自動視機能検査装置の外観図であり、左右眼それぞれの覗き窓や、操作桿や操作スイッチ、プリンタなどが筐体に設けられている。
【００１５】
図２は、図１の自動視機能検査装置の内部を被検者の右眼Er側の側面から見た概略図であり、被検眼Erに対向して光軸101上には、接眼凸レンズ1r、挿脱可能に設けられている近点接眼光学系の凹レンズ2rとプリズム3r及びシャッター4rが配置され、偏向ミラー5設けられている。偏向ミラー5の反射方向の光軸102上には、液晶表示装置で構成されている図３に示したような複数のランドルト環のうち所望のものを選択的に表示することができる視力検査視表10、視力検査視表10の後方には反射板11を伴った液晶バックライト12が配置され、視力検査視表10と液晶バックライト12は液晶ドライバー回路13に接続されている。そして、視力検査視表10の前方には、後述する図４に示したようなターレット状に６つの色覚視標を有する色覚視標板19が設けられており、色覚視標板19の回転中心軸にはモーター20が設けられ、モーター20はモータードライバー回路21に接続されている。
【００１６】
また、偏向ミラー5と色覚視標板19の間には光軸102に対し対称な位置に反射板6及び反射板8をそれぞれ伴う色覚視標照明光源7及び色覚視標照明光源9が配置されている。これらの色覚視標照明光源7及び9はデイライトタイプの蛍光灯もしくは退色防止型の色評価用蛍光灯が望ましい。
【００１７】
そして、液晶ドライバー回路13と、モータードライバー回路21は装置の制御や検査の判定を行う判断処理部14に接続されている。さらに、判断処理部14には、操作桿16及び操作スイッチ17が設けられている操作部15と、検査結果を表示するプリンターなどの検査結果表示手段18が接続されている。被検者は、視力検査視表10上に選択的に提示されたランドルト環の視認した切れ目方向にと同じ方向に前記操作桿16を傾けることにより、装置に視認した方向を入力できるようになっている。
【００１８】
前述の色覚視標板19は、図４に示したようにターレット状に６つの色覚視標19a〜19fを有している。図５は色覚視標19aを示した図であり、色覚正常者には右側に切れ目があるランドルト環の様に視認でき、赤色に感度を有する錐体細胞等に異常がある被検者の場合には右側の切れ目が認識できないように色配分された色覚検査視標である。同様に色覚視標板19に設けられている色覚視標19bは、緑色に感度を有する錐体細胞等に異常がある被検者の場合に切れ目がどこにあるか認識できないように色配分された色覚検査視標であり、色覚視標19cは、青色に感度を有する錐体細胞等に異常がある被検者の場合に切れ目がどこにあるか認識できないように色配分された色覚検査視標であり、色覚視標19d〜19fは、3種類の錐体細胞等の割合などに異常がある被検者の場合に切れ目がどこにあるか認識できないようにそれぞれ色配分された色覚検査視標である。なお、色覚視標19a〜19fに設けられているランドルト環の様の切れ目の方向は特定の規則性がないようになっている。さらに、色覚視標板19は、視力検査モードの際、図4に示した視力検査視表10との位置関係にあり、色覚検査モードの際、前記モーター20の回転により、視力検査視表10と重なるように選択的に色覚視標19a〜19fを光軸102上に提示できるようになっている。
【００１９】
そして、図２の光軸102上の色覚視標板19の上方には、図６に示したような視野制限絞り23を有する視野絞り板22が図示のない機構により、光軸102上に挿脱できるようになっている。この視野絞り23の大きさは、色覚視標19a〜19fの大きさと略同じであり、光軸102上に挿入されると、被検者からは光軸102上に色覚視標19a〜19fのうち選択的に挿入され、色覚視標照明光源7及び色覚視標照明光源9によって照明された色覚視標のみしか見ることができないようになっている。
【００２０】
図７は自動視機能検査装置の光学系を上方から見た図である。被検者の右眼Erと左眼ELそれぞれに対向して接眼凸レンズ1rと接眼凸レンズ1Lが配置されている。これらの接眼凸レンズ1r及び1Lは偏向ミラー5を介して、視力検査視表10が被検眼ErとELの前方5ｍの位置に投影されるようになっており、被検者はその視力検査視表10の像を両眼視できるようになっている。そして、接眼凸レンズ1rと接眼凸レンズ1Lの後方には、右眼用の近点接眼光学系の凹レンズ2rとプリズム3r、左眼用の近点接眼光学系の凹レンズ2 Lとプリズム3 Lがそれぞれ一体となり光路へ挿脱可能に配置されている。これらの右眼用の近点接眼光学系の凹レンズ2rとプリズム3r及び左眼用の近点接眼光学系の凹レンズ2 Lとプリズム3 Lを光路に挿入することにより、接眼凸レンズ1r及び1L、偏向ミラー5を介して、視力検査視表10が被検眼ErとELの前方33cｍの位置に投影されるようになっており、２つのプリズム3rと3Lの効果により、被検者は輻輳することができ、近点への調節が行えるようになっている。さらに、それらの後方には、シャッター4rとシャッター4 Lがそれぞれ配置されており、これらのシャッター4rとシャッター4 Lはそれぞれ独立に光路に挿脱できるようになっている。
【００２１】
次に本実施例の作用について説明する。
【００２２】
まず、被検者は、操作部15に設けられた操作スイッチ17を操作することにより、遠方視力検査モードを選択する。遠方視力検査モードが選択されると、図示のない遠方視力検査モード表示LEDが点灯し、被検者は遠方視力検査モードが選択されていることがわかるようになっている。このとき、判断処理部14は図示のない音声発生装置を用いて、遠方視力検査モードが選択されたことを被検者に知らしめても良い。
【００２３】
すると、両眼での遠方視力検査が開始される。このとき、各光路から、凹レンズ2rとプリズム3r、凹レンズ2 Lとプリズム3 L、シャッター4rとシャッター4 L、視野絞り板22、色覚視標19a〜19fは離脱されている。
【００２４】
被検者は接眼凸レンズ1r及び1Lそれぞれに右眼及び左眼を合せ、被検眼の前方5ｍに投影された視力検査視表10の像を見る。判断処理部は、視力検査視表10上の複数のランドルト環のうち選択的に１つのランドルト環を表示するように液晶ドライバー回路13を制御する。被検者は、選択的に提示されたランドルト環を見て操作部15に設けられた操作桿16をランドルト環の切れ目方向と同じ方向に倒す。すると、判断処理部14は、正誤を判断し、正誤に応じて次の異なるランドルト環を選択的に表示する。被検者は、提示されたランドルト環の切れ目が視認できない場合には、操作部15の操作スイッチ17に設けられている切れ目が判らないときに押す応答スイッチを押す。応答スイッチが押されると判断処理部14は、現在提示しているランドルト環に応じて次のランドルト環を選択的に表示する。これらを数回繰り返し、両眼での遠方視力検査を完了する。
【００２５】
このとき、判断処理部14は図示のない音声発生装置を用いて、両眼での遠方視力検査が終了したことを被検者に知らしめても良い。
【００２６】
次に右眼での遠方視力検査が開始される。すると、光軸101 L上にシャッター4 Lが挿入され、視力検査視表10の像は右眼でのみ見れるようになる。判断処理部14は、両眼での遠方視力検査の結果を元に最初に提示する視力検査視表10上の複数のランドルト環のうち１つのランドルト環を選択し液晶ドライバー回路13を制御して被検眼Erに提示する。被検者は提示されたランドルト環を見て操作部15に設けられた操作桿16をランドルト環の切れ目方向と同じ方向に倒し、判断処理部14は、正誤を判断し、正誤に応じて次の異なるランドルト環を選択的に表示する。これらを数回繰り返し、右眼の遠方視力検査を完了する。
【００２７】
右眼の遠方視力検査が完了すると、判断処理部14は、光軸101 L上からシャッター4 Lを離脱させ、光軸101r上にシャッター4rを挿入し右眼の視界を遮る。右眼での遠方視力検査と同様にして左眼の遠方視力検査を行う。両眼、右眼、左眼の遠方視力検査が完了すると、判断処理部14は、遠方視力検査結果を検査結果表示手段18のプリンターに出力する。
【００２８】
次に被検者は、操作スイッチ17を操作することにより、近点視力検査モードを選択する。近点視力検査モードが選択されると、図示のない近点視力検査モード表示LEDが点灯し、被検者は近点視力検査モードが選択されていることがわかるようになっている。
【００２９】
すると、両眼での近点視力検査が開始される。このとき、光軸101r及び光軸101 L上には、それぞれ凹レンズ2rとプリズム3r、凹レンズ2 Lとプリズム3 L、が挿入され、シャッター4rとシャッター4 L、視野絞り板22、色覚視標19a〜19fは離脱されている。
【００３０】
被検者は接眼凸レンズ1r及び1 Lそれぞれに右眼及び左眼を合せ、接眼凸レンズ1r、凹レンズ2rとプリズム3r、及び接眼凸レンズ1 L、凹レンズ2 Lとプリズム3 Lによって、被検眼の前方33cｍに視力検査視表10が投影された像を見る。判断処理部は、視力検査視表10上の複数のランドルト環のうち選択的に１つのランドルト環を表示するように液晶ドライバー回路13を制御する。被検者は、選択的に提示されたランドルト環を見て操作部15に設けられた操作桿16をランドルト環の切れ目方向と同じ方向に倒す。
【００３１】
すると、判断処理部14は、遠方視力検査モードのときと同様に、正誤を判断し、正誤に応じて次の異なるランドルト環を選択的に表示する。被検者は、提示されたランドルト環の切れ目が視認できない場合には、操作部15の操作スイッチ17に設けられている切れ目が判らないときに押す応答スイッチを押す。応答スイッチが押されると判断処理部14は、現在提示しているランドルト環に応じて次のランドルト環を選択的に表示する。これらを数回繰り返し、両眼での近点視力検査を完了する。
【００３２】
両眼での近点視力検査が完了すると、判断処理部14は、光軸101 L上にシャッター4 Lを挿入し左眼の視界を遮り、右眼での近点視力検査を行う。判断処理部14は、両眼での近点視力検査の結果を元に最初に提示する視力検査視表10上の複数のランドルト環のうち１つのランドルト環を選択し液晶ドライバー回路13を制御して被検眼Erに提示する。被検者は、両眼での近点視力検査と同様に、操作桿16及び操作スイッチ17に設けられている応答スイッチを操作し、判断処理部14は、操作の正誤等を判断し、それに応じて次の異なるランドルト環を選択的に表示する。これらを数回繰り返し、右眼の近点視力検査を完了する。
【００３３】
同様に、右眼の近点視力検査が完了すると、判断処理部14は、光軸101 L上からシャッター4 Lを離脱させ、光軸101r上にシャッター4rを挿入し右眼の視界を遮る。右眼での近点視力検査と同様にして左眼の近点視力検査を行う。両眼、右眼、左眼の近点視力検査が完了すると、判断処理部14は、近点視力検査結果を検査結果表示手段18のプリンターに出力する。
【００３４】
次に被検者は、操作スイッチ17を操作することにより、色覚検査モードを選択する。色覚検査モードが選択されると、図示のない色覚検査モード表示LEDが点灯し、被検者は色覚検査モードが選択されていることがわかるようになっている。
【００３５】
すると、まず、右眼の色覚検査が開始される。判断処理部14は、光軸101r上からシャッター4rを離脱させ、光軸101 L上にシャッター4 Lを挿入し左眼の視界を遮り、色覚視標照明光源7及び色覚視標照明光源9を点灯し、光軸102上に視野絞り23を有する視野絞り板22を挿入する。さらに、色覚視標19a〜19fのうちの１つの色覚視標が光軸102上に位置するように、モータードライバー回路21を制御してモーター20を回転させる。被検者は、被検眼Erの前方約30cm付近に提示された色覚視標19a〜19fのうちの１つの色覚視標の像を見て、視認したランドルト環の様な模様の切れ目の方向と同じ方向へ操作桿16を倒す。切れ目が視認できない場合は、視力検査の時と同様に、操作スイッチ17に設けられた応答スイッチを押す。判断処理部14は、操作桿16または操作スイッチ17に設けられた応答スイッチの入力に応じて、正誤等を判断し、それに応じて色覚視標19a〜19fの中から次の異なる色覚視標を選択的に表示するようにモータードライバー回路21を制御する。これらを数回繰り返し、右眼の色覚検査を完了する。
【００３６】
ここで、自動視機能検査装置内部に色覚視標照明光源7及び色覚視標照明光源9を設け、色覚視標19a〜19fを照明することによって、検査室内の照明環境や配置、天候などに影響されることなく、常に同じ色温度の照明光で色覚視標を照明することができ、検査精度のバラツキを軽減できる。
【００３７】
また、選択された色覚視標提示後、所定時間操作部15への被検者による入力がなかった場合には、自動的に次の色覚視標を被検眼Erに提示するようになっている。色覚に異常がある場合でも、長時間提示された同じ色覚視標を凝視していると、見えていなかった視標が見えてきてしまう場合があり、そのような被検眼は例え視標が見えたとしても色覚が正常とは言えない。したがって、本実施例のように１つの色覚視標は長くとも５秒から10秒程度提示するのが好ましい。
【００３８】
右眼の色覚検査が完了すると、判断処理部14は、光軸101 L上からシャッター4 Lを離脱させ、光軸101r上にシャッター4rを挿入し右眼の視界を遮り、左眼での色覚検査を行う。
【００３９】
判断処理部14は、右眼の色覚検査の結果を元に最初に提示する色覚視標板19上の複数の色覚視標19a〜19fのうちの１つの色覚視標を選択し、モータードライバー回路21を制御して被検眼ELの前方約30cm付近に提示する。被検者は、提示された色覚視標19a〜19fのうちの１つの色覚視標の像を見て、視認したランドルト環の様な模様の切れ目の方向と同じ方向へ操作桿16を倒す。切れ目が視認できない場合は、視力検査の時と同様に、操作スイッチ17に設けられた応答スイッチを押す。判断処理部14は、操作桿16または操作スイッチ17に設けられた応答スイッチの入力に応じて、正誤等を判断し、それに応じて色覚視標19a〜19fの中から次の異なる色覚視標を選択的に表示するようにモータードライバー回路21を制御する。これらを数回繰り返し、左眼の色覚検査を完了する。
【００４０】
右眼、左眼の色覚検査が完了すると、判断処理部14は、色覚検査結果を検査結果表示手段18のプリンターに出力する。このとき、図示のない音声発生装置を用いて、色覚検査またはすべての検査が終了したことを音声で被検者に知らしめても良い。
【００４１】
本実施例では、検査結果表示手段18にプリンターを用い、印字することにより検査結果を被検者に通知したが、液晶ディスプレー装置を設けて該液晶ディスプレーに表示しても良い。また、ネットワークインターフェースを設け、データ管理をするパソコンなどへ電子データとして送信し、検査結果を保存管理しても良い。
【図面の簡単な説明】
【００４２】
【図１】実施例の自動視機能検査装置の外観図。
【図２】自動視機能検査装置の構成を示した図。
【図３】視力検査視表10を示した図。
【図４】色覚視標19a〜19fを有している色覚視標板19を示した図。
【図５】色覚視標19aを示した図。
【図６】視野制限絞り23を有する視野絞り板22を示した図。
【図７】自動視機能検査装置の光学系を上方から見た図。
【符号の説明】
【００４３】
Er  被検右眼
1r  接眼凸レンズ
2r  近点用接眼凹レンズ
3r  プリズム
4r  シャッター
5  偏向ミラー
6,8,11  反射板
7,9  色覚視標照明光源
10  視力検査視表
12  液晶バックライト
13  液晶ドライバー回路
14  判断処理部
15  操作手段
16  操作桿
17  操作スイッチ
18  表示装置
19  色覚視標板
19a〜19f  色覚視標
20  モーター
21  モータードライバー回路
22  視野絞り板
23  視野絞り
【図１】
2006055202.tif 000003
【図２】
2006055202.tif 000004
【図３】
2006055202.tif 000005
【図４】
2006055202.tif 000006
【図５】
2006055202.tif 000007
【図６】
2006055202.tif 000008
【図７】
2006055202.tif 000009